(57)【要約】【課題】建物や部屋全体の美観性を高めることができる隠蔽機構を有する電動カーテンを提供する。【解決手段】本考案の電動カーテンは、カーテン本体を駆動するために用いられる。電動カーテンは、カーテンレール１及び駆動装置２を含む。カーテンレール１は、互いに対向する正面１１１及び背面１１２を有する。カーテンレール１内には、少なくとも２つの従動歯車１２と、少なくとも２つの従動歯車１２に巻掛られるベルト１３と、が設けられる。カーテン本体は、カーテンレール１に設置され、ベルト１３によって駆動される。駆動装置２は、カーテンレール１の背面１１２に設置され、カーテン本体によって隠蔽される。駆動装置２は、ベルト１３を駆動する。【選択図】図４
0003197789.tif 000002
【実用新案登録請求の範囲】
【請求項１】
カーテンレール及び駆動装置を備え、カーテン本体を駆動するために用いられる隠蔽機構を有する電動カーテンであって、
前記カーテンレールは、互いに対向する正面及び背面を有し、前記カーテンレール内には、少なくとも２つの従動歯車と、前記少なくとも２つの従動歯車に巻掛られるベルトと、が設けられ、前記カーテン本体は、前記カーテンレールに設置され、前記ベルトによって駆動され、
前記駆動装置は、前記カーテンレールの背面に設置され、前記カーテン本体によって隠蔽され、前記ベルトを駆動することを特徴とする隠蔽機構を有する電動カーテン。
【請求項２】
前記駆動装置は、前記カーテンレールの背面に接続される接続体と、前記接続体に設置される駆動機と、を有し、前記接続体と前記カーテンレールとの間は、開口が開設されて互いに連通し、前記駆動機は、前記接続体内に配設される駆動歯車を有し、前記ベルトは、前記開口を通過して前記駆動歯車に巻掛られて駆動されることを特徴とする請求項１に記載の隠蔽機構を有する電動カーテン。
【請求項３】
前記駆動装置は、前記接続体内に枢設される少なくとも２つの中間歯車をさらに有し、前記少なくとも２つの中間歯車は、前記駆動歯車の対向する両側に配置され、前記ベルトは、前記少なくとも２つの中間歯車に巻掛られることを特徴とする請求項２に記載の隠蔽機構を有する電動カーテン。
【請求項４】
前記中間歯車及び前記従動歯車は、何れも２つ設置され、前記ベルトは、前記駆動歯車、前記２つの中間歯車の一方、前記２つの従動歯車及び前記２つの中間歯車の他方に順番に巻掛られることを特徴とする請求項３に記載の隠蔽機構を有する電動カーテン。
【請求項５】
前記カーテンレールは、ケーシングを有し、前記少なくとも２つの従動歯車は、前記ケーシングの両端部内に枢設され、前記ベルトは、前記ケーシング内において前記少なくとも２つの従動歯車に巻掛られ、前記駆動装置によって駆動されることを特徴とする請求項１に記載の隠蔽機構を有する電動カーテン。
【請求項６】
前記カーテンレールの少なくとも一方の端部に設置される少なくとも１つの装飾部材をさらに備えることを特徴とする請求項１に記載の隠蔽機構を有する電動カーテン。
【請求項７】
前記カーテンレールと建物の内壁面との間に設置される少なくとも１つの架体をさらに備えることを特徴とする請求項１に記載の隠蔽機構を有する電動カーテン。
【請求項８】
前記少なくとも１つの架体は、互いに接続される固定部及び掛部を有し、前記固定部は、前記内壁面に固定され、前記掛部は、前記カーテンレールに接続されることを特徴とする請求項７に記載の隠蔽機構を有する電動カーテン。
【考案の詳細な説明】
【技術分野】
【０００１】
本考案は、電動カーテンに関し、特に、美観性に劣る駆動装置を隠蔽することができる隠蔽機構を有する電動カーテンに関する。
【背景技術】
【０００２】
電動カーテンは、建物（建築物）の窓に対応する内壁面部分に架設され、電動モータによってカーテン本体の開閉が制御される。
【０００３】
しかし、従来の電動カーテンは、電動モータ、歯車などの部材が何れもカーテンレールの一方の端部に設置されており、カーテン本体が窓を完全に遮蔽しても、カーテンレールの一方の端部に設置された電動モータ、歯車などの部材を遮蔽することができないため、全体の美観性が影響を受け、改善が求められていた。
従来の電動カーテンとしては、カーテンを終端までしっかりと閉じることがきるようにした先行技術（例えば特許文献１参照）が開示されている。
【０００４】
上述の欠点を改善するために、本考案の考案者は、本考案を案出した。
【先行技術文献】
【特許文献】
【０００５】
【特許文献１】特開２００７−２４４７８４号公報
【考案の概要】
【考案が解決しようとする課題】
【０００６】
本考案の目的は、駆動装置がカーテンレールの背面に設置されることにより、カーテン本体によって駆動装置を遮蔽することができるため、建物や部屋全体の美観性を高めることができる隠蔽機構を有する電動カーテンを提供することにある。
【課題を解決するための手段】
【０００７】
上述の課題を解決するために、本考案は、隠蔽機構を有する電動カーテンを提供するものである。本考案の電動カーテンは、カーテン本体を駆動するために用いられる。本考案の電動カーテンは、カーテンレール及び駆動装置を含む。カーテンレールは、互いに対向する正面及び背面を有する。カーテンレール内には、少なくとも２つの従動歯車と、少なくとも２つの従動歯車に巻掛られるベルトと、が設けられる。カーテン本体は、カーテンレールに設置され、ベルトによって駆動される。駆動装置は、カーテンレールの背面に設置され、カーテン本体によって隠蔽される。駆動装置は、ベルトを駆動する。
【考案の効果】
【０００８】
本考案の隠蔽機構を有する電動カーテンは、駆動装置が隠蔽されるため、建物や部屋全体の美観性を高めることができる。
【図面の簡単な説明】
【０００９】
【図１】本考案の電動カーテンの第１実施形態を示す分解斜視図である。
【図２】本考案の電動カーテンの第１実施形態を示す斜視図である。
【図３】本考案の電動カーテンの第１実施形態を示す側面図である。
【図４】本考案の電動カーテンの第１実施形態を示す断面図である。
【図５】本考案の電動カーテンの第２実施形態を示す側面図である。
【図６】本考案の電動カーテンの第３実施形態を示す斜視図である。
【考案を実施するための形態】
【００１０】
本考案の詳細な技術内容を図面に沿って以下に説明する。図面は、参考及び説明のために提供するものであり、本考案を限定するものではない。
【００１１】
本考案は、隠蔽機構を有する電動カーテンを提供するものである。本考案の隠蔽機構を有する電動カーテンは、建物の窓に対応する内壁面部分に設置され、カーテン本体の開閉を制御して、建物の窓、及び、電動カーテン用駆動装置を遮蔽することができる。
【００１２】
（第１実施形態）
図１〜図４を参照する。図１〜図４に示すように、本考案の電動カーテンの第１実施形態は、カーテンレール１及び駆動装置２を含む。
【００１３】
カーテンレール１は、互いに対向する正面１１１及び背面１１２を有する（図４参照）。カーテンレール１は、ケーシング１１と、ケーシング１１内に設置される少なくとも２つの従動歯車１２及びベルト１３と、を含む。従動歯車１２は、多数個でもよいが、ここでは、２つの従動歯車１２を例示して説明する。２つの従動歯車１２は、ケーシング１１の両端の内部に枢設される。ベルト１３は、ケーシング１１内において２つの従動歯車１２に巻掛られ、駆動装置２によって駆動される。カーテン本体（図示せず）は、カーテンレール１に設置され、ベルト１３によって駆動され、開閉する。
【００１４】
駆動装置２は、カーテンレール１の背面１１２に設置され（図４参照）、カーテンレール１の下方に位置するカーテン本体（図示せず）によって隠蔽される。
【００１５】
詳細に述べると、駆動装置２は、接続体２１及び駆動機２２を含む。駆動機２２は、接続体２１の底部に設置される(図１，２参照)。駆動機２２の駆動歯車２２１は、接続体２１内に配設される。接続体２１は、カーテンレール１の背面１１２に接続される。接続体２１とカーテンレール１のケーシング１１の内部との間には、開口Ｈが開設され、互いに連通する（図４参照）。ベルト１３は、開口Ｈを通過して駆動歯車２２１に巻掛られる。これにより、駆動機２２は、駆動歯車２２１を介してベルト１３を駆動する。
【００１６】
本実施形態中、駆動装置２は、少なくとも２つの中間歯車２１１を含む。中間歯車２１１は、接続体２１内に枢設される。ベルト１３は、開口Ｈを通過して少なくとも２つの中間歯車２１１に巻掛られることによってスムーズに駆動される。これにより、本考案の電動カーテンの駆動は、スムーズで静かである。
【００１７】
図４に示すように、少なくとも２つの中間歯車２１１は、駆動歯車２２１の対向する両側に配置される。中間歯車２１１は、多数個でもよいが、ここでは、２つの中間歯車２１１を例示して説明する。即ち、ベルト１３は、駆動歯車２２１、２つの中間歯車２１１中の一方、２つの従動歯車１２及び２つの中間歯車２１１の他方に順番に巻掛られる。
【００１８】
図１〜図４に示すように、本考案の電動カーテンの第１実施形態は、少なくとも１つの装飾部材３をさらに含む。少なくとも１つの装飾部材３は、カーテンレール１の少なくとも一方の端部に設置される。装飾部材３は、装飾作用を有し、本考案の電動カーテンの美観性を高めることができる。
【００１９】
図１〜図４に示すように、本考案の電動カーテンの第１実施形態は、少なくとも１つの架体５をさらに含む。架体５は、互いに接続される固定部５１及び掛部５２を含む。固定部５１は、建物や部屋の内壁面に固定される。掛部５２は、カーテンレール１に接続される。即ち、架体５は、カーテンレール１と建物の窓に対応する内壁面との間に設置される。これにより、本考案の電動カーテンは、建物の窓に対応する内壁面部分に架設され、制御されることによってカーテン本体（図示せず）を開閉することができる。
【００２０】
（第２実施形態）
図５を参照する。図５は、本考案の電動カーテンの第２実施形態を示し、第１実施形態とほぼ同一である。異なる点として、第２実施形態においては、カーテンレール１の両端に装飾部材３が設置され、これにより、全体の美観性がさらに高められる。
【００２１】
（第３実施形態）
図６を参照する。図６は、本考案の電動カーテンの第３実施形態を示し、第２実施形態とほぼ同一である。異なる点として、第２実施形態においては、交差機構６が増設されると共に、多数の架体５によってカーテンレール１が支持される。
【００２２】
交差機構６は、前述のベルト１３によって駆動される第１被駆動部材６１及び第２被駆動部材６２を含む。第２被駆動部材６２の両端中の第１被駆動部材６１に近い側の隣接端は、回避部６２１を有する。本実施形態中の回避部６２１は、弧状の場合を例示して説明する。回避部６２１は、第１被駆動部材６１の両端中の第２被駆動部材６２に近い側の隣接端を回避することにより、第２被駆動部材６２を第１被駆動部材６１の後方に移動させ、互いに交差させる。
【００２３】
第１被駆動部材６１及び第２被駆動部材６２は、それぞれカーテン本体（図示せず）の２つの隣接端の上端に接続される。これにより、カーテン本体が駆動されて閉まる際、カーテン本体の２つの隣接端が互い近づき、第１被駆動部材６１及び第２被駆動部材６２によってカーテン本体の２つの隣接端が交差して重なり合うため、２つのカーテン本体間に隙間が発生しない。
【００２４】
以上の説明から分かるように、本考案は、従来技術と比較して以下に示す効果を有する。美観性に劣る駆動装置２がカーテンレール１の背面１１２に設置されることにより、カーテン本体によって駆動装置２を遮蔽して隠蔽することができるため、全体の美観性を高めることができる。また、ベルト１３が巻掛られる中間歯車２１１が増設されることにより、ベルト１３の駆動をスムーズにすることができるため、本考案の電動カーテンの駆動をスムーズで静かにすることができる。
【００２５】
本考案は、さらに以下に示す効果を有する。カーテンレール１の少なくとも一方の端部に装飾部材３が増設されることによって美観性を高めることができる。また、カーテンレール１に交差機構６が増設されることによってカーテン本体の２つの隣接端間に隙間が発生しない。
【００２６】
以上の説明は、本考案の好適な実施形態を示すものであり、本考案の範囲を限定するものではなく、本考案の明細書及び図面の内容の実質的に同等な変更に相当するものは、本考案の実用新案登録請求の範囲に含まれる。
【符号の説明】
【００２７】
１  カーテンレール
１１  ケーシング
１１１  正面
１１２  背面
１２  従動歯車
１３  ベルト
２  駆動装置
２１  接続体
２１１  中間歯車
２２  駆動機
２２１  駆動歯車
３  装飾部材
５  架体
５１  固定部
５２  掛部
６  交差機構
６１  第１被駆動部材
６２  第２被駆動部材
６２１  回避部
Ｈ  開口
【図１】
0003197789.tif 000003
【図２】
0003197789.tif 000004
【図３】
0003197789.tif 000005
【図４】
0003197789.tif 000006
【図５】
0003197789.tif 000007
【図６】
0003197789.tif 000008